(57)【特許請求の範囲】
【請求項１】
折り畳まれたエアバッグと、該エアバッグに膨張用ガスを供給するインフレーターと、前記エアバッグと前記インフレーターとを収納保持するケースと、折り畳まれた前記エアバッグを覆って、前記エアバッグの膨張時に開く扉部を有した蓋体と、を備えて構成され、
前記蓋体が、前記扉部の周囲から下方へ延びて、横方向に貫通する係止孔を有した側壁部を備え、
前記ケースが、上部に、横方向の外方へ突出して、前記エアバッグの膨張用ガス流入用の開口の周縁と前記蓋体の側壁部とを連結可能な連結部を配置させ、
前記連結部が、前記係止孔に挿入係止させる係止脚を備え、
前記エアバッグの開口周縁が、リテーナを利用して、前記連結部に連結されるとともに、
前記蓋体の側壁部が、前記係止脚を前記係止孔に挿入係止させ、さらに、前記係止脚の係止解除を規制するために、前記連結部に連結される押え部材を利用して、前記連結部に連結されているエアバッグ装置であって、
前記押え部材が、前記連結部に対する前記側壁部と前記リテーナとを連結させる部位に、嵌合されて、前記リテーナを前記連結部に連結させるとともに、前記係止脚の係止解除を規制して、前記側壁部を前記連結部に連結させる構成として、
前記連結部が、少なくとも前記ケースの両側における前記蓋体側壁部の内側に配置されるとともに、それぞれ、前記ケースの上部で横方向の外方へ突出するフランジ部を備えて構成され、
該フランジ部が、上下方向に貫通して、前記エアバッグの開口周縁に設けられた帯状の連結片部を挿通可能な貫通孔と、横方向の先端に配置された前記係止脚と、を備えて構成され、
前記係止脚が、前記蓋体側壁部の外側面における前記係止孔周縁の下縁を係止可能な鉤部を備え、
前記リテーナが、前記貫通孔を挿通した前記連結片部を巻取って、前記貫通孔に対して挿通不能とする形状の棒状体として構成され、
前記押え部材が、上下で対向する上・下板部と、該上・下板部を連結する底板部と、を備えた断面略Ｕ字形の棒状体として構成され、
前記フランジ部の係止脚を、前記側壁部の係止孔に挿入係止させ、かつ、前記リテーナを、前記貫通孔を挿通させた前記連結片部を巻取った状態で、前記フランジ部の下面側に配置させて、前記側壁部における前記係止孔の下方部位を、折り曲げて、前記連結片部を巻取った前記リテーナに当て、
さらに、前記上板部を前記係止孔に挿入させて前記係止脚の上面側に当て、かつ、前記下板部を折り曲げた前記側壁部の下方部位に当接させるように、前記押え部材を、前記係止脚、前記連結片部を巻取った前記リテーナ、及び、前記側壁部の下方部位、から構成される嵌合部に対して、外嵌させることにより、前記リテーナを前記連結部に連結させるとともに、前記係止脚の係止解除を規制して、前記側壁部を前記連結部に連結させていることを特徴とするエアバッグ装置。
【発明の詳細な説明】
【０００１】
【発明の属する技術分野】
本発明は、車両に装着されるエアバッグ装置に関し、特に、エアバッグと折り畳まれたエアバッグを覆う蓋体とを、リテーナと押え部材とを利用して、ケースに連結させたエアバッグ装置に関する。
【０００２】
【従来の技術】
従来のエアバッグ装置では、特開平１０−３２４２１１号公報等に知られているように、折り畳まれたエアバッグと、エアバッグに膨張用ガスを供給するインフレーターと、エアバッグとインフレーターとを収納保持するケースと、折り畳まれたエアバッグを覆って、エアバッグの膨張時に開く扉部を有した蓋体と、を備えて構成されていた。
【０００３】
蓋体には、扉部の周囲から下方へ延びて、横方向に貫通する係止孔を有した側壁部が設けられていた。
【０００４】
ケースには、上部に、横方向の外方へ突出して、エアバッグの膨張用ガス流入用の開口の周縁と蓋体の側壁部とを連結可能な連結部が、設けられていた。この連結部は、横方向に延びる横壁部と、横壁部の先端から上方へ延びて、蓋体側壁部の内側面に配置される縦壁部と、を備えて構成されていた。縦壁部には、蓋体側壁部の係止孔に挿入係止させる係止脚が設けられていた。
【０００５】
そして、エアバッグの開口周縁が、四角環状のリテーナを利用して、ケースの横壁部に連結させていた。この連結態様は、リテーナに、下方へ延びる複数のボルトが突設されており、エアバッグの開口周縁を、リテーナによって、ケースの横壁部の上面に押えるとともに、リテーナの各ボルトを、ケース横壁部から突出させて、ナット止めする態様であった。
【０００６】
また、蓋体の側壁部は、押え部材を利用して、ケースの縦壁部に連結させていた。この連結態様は、縦壁部の係止脚を側壁部の係止孔に挿入係止させ、さらに、蓋体側壁部が外方へ移動しないように、押え部材を、蓋体側壁部の外側面に当接させるように配置させて、リテーナのボルトに螺合されるナットで共締めする態様であった。
【０００７】
なお、エアバッグの膨張時には、ケース縦壁部の係止脚が蓋体側壁部の係止孔から抜けて、係止脚の係止解除を行なうような、高い圧力が蓋体側壁部に作用することから、その係止脚の係止解除を規制するために、押え部材が、蓋体側壁部が外方へ移動しないように、配設されていた。
【０００８】
【発明が解決しようとする課題】
しかし、従来のエアバッグをケースに連結するリテーナは、ケースの横壁部にナット止めして結合させるように、環状のリテーナ本体に対して、複数本のボルトを固着させて構成されており、２種類の部品から構成され、さらに、ボルト自体が複数本（６本以上）固着されることから、部品点数が多くなっていた。
【０００９】
そして、リテーナのボルトに螺合するナットにより、押え部材をケースに共締めしているものの、いちいち、それぞれのボルトにナットを締め付ける必要があることから、組付工数が増大していた。
【００１０】
本発明は、上述の課題を解決するものであり、構成部品点数と組付工数とを低減させて、エアバッグと蓋体とをケースに連結可能なエアバッグ装置を提供することを目的とする。
【００１１】
【課題を解決するための手段】
本発明に係るエアバッグ装置は、折り畳まれたエアバッグと、該エアバッグに膨張用ガスを供給するインフレーターと、前記エアバッグと前記インフレーターとを収納保持するケースと、折り畳まれた前記エアバッグを覆って、前記エアバッグの膨張時に開く扉部を有した蓋体と、を備えて構成され、
前記蓋体が、前記扉部の周囲から下方へ延びて、横方向に貫通する係止孔を有した側壁部を備え、
前記ケースが、上部に、横方向の外方へ突出して、前記エアバッグの膨張用ガス流入用の開口の周縁と前記蓋体の側壁部とを連結可能な連結部を配置させ、
前記連結部が、前記係止孔に挿入係止させる係止脚を備え、
前記エアバッグの開口周縁が、リテーナを利用して、前記連結部に連結されるとともに、
前記蓋体の側壁部が、前記係止脚を前記係止孔に挿入係止させ、さらに、前記係止脚の係止解除を規制するために、前記連結部に連結される押え部材を利用して、前記連結部に連結されているエアバッグ装置であって、
前記押え部材が、前記連結部に対する前記側壁部と前記リテーナとを連結させる部位に、嵌合されて、前記リテーナを前記連結部に連結させるとともに、前記係止脚の係止解除を規制して、前記側壁部を前記連結部に連結させる構成として、
前記連結部が、少なくとも前記ケースの両側における前記蓋体側壁部の内側に配置されるとともに、それぞれ、前記ケースの上部で横方向の外方へ突出するフランジ部を備えて構成され、
該フランジ部が、上下方向に貫通して、前記エアバッグの開口周縁に設けられた帯状の連結片部を挿通可能な貫通孔と、横方向の先端に配置された前記係止脚と、を備えて構成され、
前記係止脚が、前記蓋体側壁部の外側面における前記係止孔周縁の下縁を係止可能な鉤部を備え、
前記リテーナが、前記貫通孔を挿通した前記連結片部を巻取って、前記貫通孔に対して挿通不能とする形状の棒状体として構成され、
前記押え部材が、上下で対向する上・下板部と、該上・下板部を連結する底板部と、を備えた断面略Ｕ字形の棒状体として構成され、
前記フランジ部の係止脚を、前記側壁部の係止孔に挿入係止させ、かつ、前記リテーナを、前記貫通孔を挿通させた前記連結片部を巻取った状態で、前記フランジ部の下面側に配置させて、前記側壁部における前記係止孔の下方部位を、折り曲げて、前記連結片部を巻取った前記リテーナに当て、
さらに、前記上板部を前記係止孔に挿入させて前記係止脚の上面側に当て、かつ、前記下板部を折り曲げた前記側壁部の下方部位に当接させるように、前記押え部材を、前記係止脚、前記連結片部を巻取った前記リテーナ、及び、前記側壁部の下方部位、から構成される嵌合部に対して、外嵌させることにより、前記リテーナを前記連結部に連結させるとともに、前記係止脚の係止解除を規制して、前記側壁部を前記連結部に連結させていることを特徴とする。
【００１４】
【発明の効果】
本発明に係るエアバッグ装置では、押え部材を、連結部に対する側壁部とリテーナとを連結させる部位に、嵌合させて、リテーナを連結部に連結させるとともに、係止脚の係止解除を規制して、側壁部を連結部に連結させている。
【００１５】
すなわち、本発明に係るエアバッグ装置では、構成部品点数と組付工数とを増加させる複数のボルト・ナットを全く使用することなく、単に、所定の嵌合部位に、押え部材を嵌合させるだけで、リテーナを連結部に連結させて、エアバッグをケースの連結部に連結させることができるとともに、蓋体の側壁部をケースの連結部に連結させることができる。
【００１６】
したがって、本発明に係るエアバッグ装置では、構成部品点数と組付工数とを低減させて、エアバッグと蓋体とをケースに連結することができる。
【００２０】
そしてさらに、本発明に係るエアバッグ装置では、押え部材の上板部を、係止孔に挿入させて、側壁部の係止孔に挿入係止させたフランジ部の係止脚の上面側に当て、かつ、連結片部を巻取ってフランジ部の下面に配置されるリテーナを覆うように折り曲げた側壁部の下方部位に対して、押え部材の下板部を、当接させるようにして、断面略Ｕ字状の押え部材を、係止脚、連結片部を巻取ったリテーナ、及び、側壁部の下方部位、から構成される嵌合部に、外嵌させており、上板部と下板部との底板部からの突出方向に沿って、押え部材を所定の嵌合部側へ単に押圧すれば、押え部材の嵌合作業を完了させることができることから、押え部材の嵌合作業を簡単に行なうことができる。
【００２１】
【発明の実施の形態】
以下、本発明の一実施形態を図面に基づいて説明する。
【００２２】
第１実施形態のエアバッグ装置Ｍ１は、図１・２に示すように、助手席前方のインストルメントパネル（以下、インパネと略す）Ｐの部位に配設されるものであり、折り畳まれたエアバッグ１と、リテーナ４と、エアバッグ１に膨張用ガスを供給するインフレーター８と、エアバッグ１・インフレーター８を保持するケース１１と、折り畳まれたエアバッグ１を覆う蓋体２２と、押え部材２４と、を備えて構成されている。
【００２３】
エアバッグ１は、ポリエステル糸やポリアミド糸等の織布から袋状に形成されており、下部には、長方形形状に開口した開口１ａが設けられている。そして、開口周縁１ｂには、図１・５に示すように、リテーナ４の後述する突出部５を挿通させる複数の取付孔１ｃが形成されている。なお、エアバッグ１の内周面側には、耐熱性を向上させるために、必要により、シリコン等の耐熱性コーティング層が設けられている。
【００２４】
リテーナ４は、図１〜４に示すように、板金製として、四角環状の板状の底部４ａと、底部４ａの外周縁から上方へ延びるリブ４ｂと、を備えて構成されている。リテーナ４の平面形状は、ケース１１の後述する各連結部１３の横壁部１４や側壁部１７の横壁部１７ａの上面側に、載置可能な形状に形成されている。
【００２５】
リテーナ４の底部４ａには、周囲を切り欠いて、下方へ突出する複数（実施形態では、車両の前後方向の部位に３個ずつ）の突出部５が、形成されている。各突出部５は、ケース１１の後述する各横壁部１４に形成された各貫通孔１４ａから下方へ突出可能に形成されるとともに、下側嵌合孔６を備えて構成されている。下側嵌合孔６は、ケース１１の各横壁部１４から後述する縦壁部１５へ向かう横方向に沿って、貫通しており、底部５ａと、底部５ａの両縁から上方へ延びて、リテーナ４の底部４ａに連結される側部５ｂ・５ｂと、に囲まれて、形成されている。下側嵌合孔６の開口形状は、押え部材２４の後述する下側嵌合片２６を挿入可能な長方形形状としている。
【００２６】
インフレーター８は、図１・２に示すように、ガス吐出口８ｂを有した円柱状の本体８ａと、本体８ａの一方の端部に配置されて本体８ａより大径のフランジ部８ｃと、本体８ａの他方の端部に配置されたボルト部８ｄと、を備えて構成されている。
【００２７】
ケース１１は、図１〜３に示すように、板金製として、折り畳んだエアバッグ１を収納する上部室１２と、インフレーター８を収納する下部室１８と、を備えて構成されている。上部室１２は、車両の前後方向に配置される連結部１３・１３と、車両の左右方向に配置される側壁部１７・１７と、を備えて、略四角筒形状に形成されている。各連結部１３は、リテーナ４と蓋体２２の後述する側壁部２２ｃとを連結する部位である。各側壁部１７は、連結部１３・１３相互を連結するように、連結部１３の後述する横壁部１４や縦壁部１５と同様（但し後述する貫通孔１４ａや係止脚１５ａを除く）な横壁部１７ａと縦壁部１７ｂとから構成されている。
【００２８】
各連結部１３は、それぞれ、ケース１１の下部室１８の上縁側で、横方向の外方へ突出する横壁部１４と、横壁部１４の先端から上方へ延びて蓋体側壁部２２ｃの内側に配置される縦壁部１５と、から構成されている。各横壁部１４には、上下方向に貫通して、リテーナ４の各突出部５を挿通可能な複数の貫通孔１４ａが形成されている。各縦壁部１５には、周囲を切り起こされて横方向の外方へ突出する複数（実施形態では３個ずつ）の係止脚１５ａが形成されている。各係止脚１５ａは、蓋体２２の後述する側壁部２２ｃに設けられた係止孔２２ｄに挿入係止され、挿入係止時の係止孔２２ｄから外方へ突出する位置には、上下方向に貫通する上側嵌合孔１６が形成されている。上側嵌合孔１６の開口形状は、押え部材２４の後述する上側嵌合片２８を挿入可能な長方形形状としている。
【００２９】
ケース１１の下部室１８は、各横壁部１４・１７ａの内周縁から下方へ略四角筒形状に延びる周壁１９と、周壁１９の下端を塞ぐように配置される底壁２０と、から構成されている。周壁１９の車両の左右方向の部位には、左右方向に貫通する大小の挿通孔１９ａ・１９ｂがそれぞれ形成されている。挿通孔１９ａは、インフレーター８の本体８ａを挿通可能としてフランジ部８ｃを挿通不能とする内径寸法とし、挿通孔１９ｂは、インフレーター８のボルト部８ｄを挿通可能な内径寸法としている。そして、インフレーター８は、ボルト部８ｄを、挿通孔１９ａを経て挿通孔１９ｂから突出させるとともに、フランジ部８ｃを挿通孔１９ａの周縁に当接させ、ボルト部８ｄにナット９を螺合させることにより、下部室１８に収納保持されている。
【００３０】
なお、ケース１１には、車両に固定する際に使用する図示しない取付ブラケットが形成されている。
【００３１】
蓋体２２は、図１・２・５に示すように、オレフィン系やスチレン系等の熱可塑性エラストマー等から形成され、折り畳まれたエアバッグ１を収納したケース上部室１２の上方を覆うように配置されている。蓋体２２は、周囲に薄肉の破断予定部２２ｂを設けて、エアバッグ１の膨張時に開く２つの扉部２２ａ・２２ａを備えて構成されている。実施形態の場合、破断予定部２２ｂは、上方から見てＨ字形状に配置されており、「Ｈ」字の横棒部位の前後に配置された扉部２２ａ・２２ａが、エアバッグ１の膨張時、破断予定部２２ｂを破断させて、それぞれ、図１の二点鎖線で示すように、前後方向に開くこととなる。
【００３２】
また、蓋体２２には、破断予定部２２ｂの周囲から四角筒形状に下方へ延びて、ケース上部室１２の縦壁部１５・１７ｂの外側に配置される側壁部２２ｃが形成されている。側壁部２２ｃの車両の前後方向の部位には、各係止脚１５ａを挿入させて、周縁を係止脚１５ａに係止させる係止孔２２ｄが形成されている。
【００３３】
なお、実施形態の蓋体２２は、インパネＰと一体的に形成されている。そして、実施形態のインパネＰは、ポリプロピレン等の剛性の高い合成樹脂製として、蓋体２２の部位やその周縁を熱可塑性エラストマー製とした二色成形品としている。
【００３４】
押え部材２４は、ケース１１の車両の前後方向に配置される各連結部１３をそれぞれ外側から覆えるように、横板部２５と、横板部２５の端部から上方へ延びる縦板部２７と、からなる断面略Ｌ字形の板金製として構成されている。そして、横板部２５は、ケース１１の横壁部１４の下面に当接可能として、先端には、リテーナ４における横壁部１４の各貫通孔１４ａから下方へ突出した突出部５の各下側嵌合孔６に嵌合可能な下側嵌合片２６が、形成されている。また、縦板部２７は、係止孔２２ｄを有した側壁部２２ｃの部位の外側面に当接可能として、上端には、ケース縦壁部１５における側壁部２２ｃの各係止孔２２ｄから突出した係止脚１５ａの各上側嵌合孔１６に嵌合可能な上側嵌合片２８が、形成されている。
【００３５】
第１実施形態のエアバッグ装置Ｍ１の組付けを説明すると、まず、エアバッグ１内にリテーナ４を配置させて、各突出部５を開口周縁１ｂの取付孔１ｃから突出させ、エアバッグ１を折り畳む。エアバッグ１を折り畳んだ後には、エアバッグ１が復元して折りを解消しないように、破断可能な薄い熱収縮フィルム等の包装袋２（図１・２参照）で、折り畳んだエアバッグ１を包む。
【００３６】
ついで、エアバッグ１の取付孔１ｃから突出している各突出部５を、ケース横壁部１４の下面から突出するように貫通孔１４ａに貫通させつつ、エアバッグ１の開口周縁１ｂを間で挟むように、リテーナ４を各横壁部１４・１７ａ上に配置させる。
【００３７】
その後、ケース下部室１８の挿通孔１９ａ側からボルト部８ｄを挿入させ、ボルト部８ｄを挿通孔１９ｂから突出させるとともに、フランジ部８ｃを挿通孔１９ａ周縁に当接させ、ボルト部８ｄにナット９を螺合させて、ケース１１にインフレーター８を収納保持させる。なお、インフレーター８のケース１１への組付けは、リテーナ４のケース１１への結合前に行なっておいても良い。
【００３８】
そして、蓋体２２をケース上部室１２の縦壁部１５・１７ｂに外装させ、上側嵌合孔１６の部位を側壁部２２ｃから突出させるように、側壁部２２ｃの各係止孔２２ｄに係止脚１５ａを挿入係止させる。
【００３９】
さらに、図５に示すように、横板部２５と縦板部２７とを相互に接近させるように交差部２４ａで各押え部材２４を曲げつつ、各上側嵌合片２８を各係止脚１５ａの上側嵌合孔１６に嵌合させ、かつ、各下側嵌合片２６を各突出部５の下側嵌合孔６に嵌合させれば、エアバッグ装置Ｍ１の組付けが完了するとともに、エアバッグ装置Ｍ１をインパネＰに組付けることができる。その後、インパネＰを車両に組み付ければ、エアバッグ装置Ｍ１を車両に搭載することができる。
【００４０】
なお、エアバッグ装置Ｍ１の組付完了状態では、リテーナ４におけるケース横壁部１４から下方へ突出する各突出部５が、下側嵌合孔６に挿入される押え部材２４の各下側嵌合片２６を挿入させて、閂を掛けられた状態となって、ケース連結部１３の横壁部１４に確実に連結されることとなり、その結果、エアバッグ１の開口周縁１ｂが、そのリテーナ４の底部４ａに押えられて、ケース連結部１３の横壁部１４に、強固に連結されることとなる。また、蓋体２２の側壁部２２ｃは、係止孔２２ｄが、ケース連結部１３の縦壁部１５における係止脚１５ａに係止され、係止脚１５ａが、その上側嵌合孔１６に挿入される押え部材２４の各上側嵌合片２８により、閂を掛けられた状態となる。そのため、各上側嵌合片１６が係止孔２２ｄの周縁に当接して、各係止脚１５ａの係止孔２２ｃからの抜け（係止脚１５ａの係止解除）が確実に防止されることから、蓋体側壁部２２ｃが、ケース連結部１３の縦壁部１５に、強固に連結されることとなる。
【００４１】
エアバッグ装置Ｍ１の車両への搭載後に、インフレーター８が作動されてガス吐出口８ｂから膨張用ガスが吐出されれば、エアバッグ１が、膨張し、扉部２２ａ・２２ａを開かせ、インパネＰから大きく突出することとなる。
【００４２】
そして、第１実施形態のエアバッグ装置Ｍ１では、各押え部材２４を、連結部１３に対する側壁部２２ｃとリテーナ４とを連結させる部位の嵌合部（下側・上側嵌合孔６・１６）に嵌合させて、リテーナ４を連結部１３の横壁部１４に連結させるとともに、係止脚１５ａの係止解除を規制して、側壁部２２ｃを連結部１３の縦壁部１５に連結させている。
【００４３】
すなわち、第１実施形態のエアバッグ装置Ｍ１では、構成部品点数と組付工数とを増加させる複数のボルト・ナットを全く使用することなく、単に、所定の嵌合部位６・１６に、押え部材２４の嵌合片２６・２８を嵌合させるだけで、リテーナ４をケース１１の連結部１３に連結させて、エアバッグ１をケース連結部１３に連結させることができるとともに、蓋体２２の側壁部２２ｃをケース連結部１３に連結させることができる。
【００４４】
したがって、第１実施形態のエアバッグ装置Ｍ１では、構成部品点数と組付工数とを低減させて、エアバッグ１と蓋体２２とをケース１１に連結することができる。
【００４５】
さらに、第１実施形態のエアバッグ装置Ｍ１では、押え部材２４の上側嵌合片２８を、側壁部２２ｃの係止孔２２ｄに挿入係止させた係止脚１５ａの上側嵌合孔１６に対して、下方から挿入させて嵌合させ、さらに、押え部材２４の下側嵌合片２６を、リテーナ底部４ａがエアバッグ１の開口周縁１ｂを押えた状態で、横壁部１４の貫通孔１４ａに挿入させた突出部５の下側嵌合孔６に対して、横方向から挿入させて嵌合させており、押え部材２４の上側嵌合片２８と下側嵌合片２６との嵌合方向が、略直交方向に交差しており、上側・下側嵌合片２８・２６を対応する上側・下側嵌合孔１６・６に嵌合させれば、上側・下側嵌合片２８・２６の一方が対応する嵌合孔１６・６からの抜け方向へ移動しようとしても、他方の嵌合片２６・２８が対応する嵌合孔６・１６の周面に当接して、その移動が規制され、押え部材２４を確実にケース１１に連結させておくことができる。
【００４６】
なお、第１実施形態のエアバッグ装置Ｍ１では、ケース１１における車両の前後方向の両側に、横壁部１４と縦壁部１５とを備えた連結部１３を配置させた場合を示したが、リテーナ４・蓋体側壁部２２ｃ・押え部材２４を対応させて、ケース１１における車両の左右方向の両側だけに、連結部１３を配置させたり、ケース１１の周方向の全周に、連結部１３を配置させても良い。但し、連結部１３を配置させる部位は、エアバッグ１の膨張時に開く扉部２２ａのヒンジ部２２ｅ（図１参照）側の部位に、配置させることが望ましい。なぜなら、扉部２２ａが開く際には、側壁部２２ｃにおけるヒンジ部２２ｅの配置された側に、上方への強い引張力が作用するため、連結部１３がその引張力に対して効果的に対抗できるからである。
【００４７】
また、第１実施形態では、押え部材２４に、複数で同数の上側・下側嵌合片２８・２６を設けた場合を示したが、ケース連結部１３における係止脚１５ａの上側嵌合孔１６・蓋体側壁部２２ｃの係止孔２２ｄ・リテーナ突出部５の下側嵌合孔６を対応させて、１つを含めた任意の数の嵌合片２８・２６を、１つの押え部材２４に設けても良い。
【００４８】
さらに、第１実施形態では、リテーナ４を環状に形成したが、周方向に分割された分割体（例えば、リテーナ４を車両の前後方向の部位で２分割したもの）で、リテーナを構成しても良い。
【００４９】
第２実施形態のエアバッグ装置Ｍ２は、図６・７に示すように、第１実施形態と同様に、助手席前方に配置される助手席用のものであり、折り畳まれたエアバッグ３１と、リテーナ３４と、エアバッグ３１に膨張用ガスを供給するインフレーター３８と、エアバッグ３１・インフレーター３８を保持するケース４１と、折り畳まれたエアバッグ３１を覆う蓋体５２と、押え部材５４と、を備えて構成されている。
【００５０】
エアバッグ３１は、第１実施形態と同様に、ポリエステル糸やポリアミド糸等の織布から袋状に形成されており、下部には、長方形形状に開口した開口３１ａが設けられている。そして、開口周縁３１ｂには、図６〜８に示すように、リテーナ３４（３４Ｎ・３４Ｓ）に巻き付けるための、帯状の連結片部３１ｃ・３１ｄが形成されている。連結片部３１ｃは、車両の前後方向の部位に複数（実施形態では３個ずつ）配置され、連結片部３１ｄは、車両の左右方向の部位に１つずつ配置されている。さらに、各連結片部３１ｃの幅寸法は、連結片部３１ｄの幅寸法より狭く、ケース４１の後述する貫通孔４４ａに挿通可能な寸法としている。連結片部３１ｄの幅寸法は、ケース４１の後述する貫通孔４４ｂに挿通可能な寸法としている。
【００５１】
リテーナ３４は、図６〜８に示すように、板金製とした平板状の棒状体として構成されるとともに、長短の２つずつのリテーナ３４Ｎ・３４Ｓが使用されている。長いリテーナ３４Ｎは、ケース４１の各貫通孔４４ａを挿通させた車両前後方向部位のエアバッグ３１の各連結片部３１ｃを巻取り、短いリテーナ３４Ｓは、ケース４１の各貫通孔４４ｂを挿通させた車両左右方向部位のエアバッグ３１の連結片部３１ｄを巻取ることとなる。そして、各リテーナ３４Ｎ・３４Ｓの形状は、それぞれ、連結片部３１ｃ・３１ｄを巻取った際の幅寸法や長さ寸法等が、各貫通孔４４ａ・４４ｂを挿通不能となるように、設定されている。実施形態の場合、各リテーナ３４Ｎ・３４Ｓの幅寸法が、ケース４１の各貫通孔４４ａ・４４ｂの開口幅寸法より、大きく設定されている。
【００５２】
インフレーター３８は、図６・７に示すように、第１実施形態と同様に、ガス吐出口３８ｂを有した円柱状の本体３８ａと、本体３８ａの一方の端部に配置されて本体３８ａより大径のフランジ部３８ｃと、本体３８ａの他方の端部に配置されたボルト部３８ｄと、を備えて構成されている。
【００５３】
ケース４１は、図６・７・９に示すように、板金製として、折り畳んだエアバッグ３１を収納する上部室４２と、インフレーター３８を収納する下部室４８と、を備えて構成されている。上部室４２は、車両の前後左右に配置される連結部４３により、略四角筒形状に形成されるとともに、蓋体５２の後述する側壁部５３の内側部位に配置可能に構成されている。
【００５４】
各連結部４３は、それぞれ、下部室４８の上縁から横方向の外方へ突出するフランジ部４４と、フランジ部４４の外縁から上方へ延びる縦壁部４６と、を備えて構成されている。縦壁部４６は、後述する係止脚４５を配置させた部位で、分断されたように形成されるとともに、蓋体５２の後述する側壁部５３の内側面に沿って延びるように形成されている。
【００５５】
各フランジ部４４は、上下方向に貫通して、エアバッグ開口周縁３１ｂに設けられた帯状の連結片部３１ｃ・３１ｄを挿通可能な貫通孔４４ａ・４４ｂと、横方向の先端に配置させた係止脚４５と、を備えて構成されている。
【００５６】
車両の前後方向の位置に配置されるフランジ部４４Ｆ・４４Ｂには、長さ寸法を短くして開口し、それぞれ、エアバッグ３１の既述の連結片部３１ｃを挿通させる３個の貫通孔４４ａが形成され、車両の左右方向の位置に配置されるフランジ部４４Ｌ・４４Ｒには、長さ寸法を長くして開口し、それぞれ、エアバッグ３１の既述の連結片部３１ｄを挿通させる貫通孔４４ｂが形成されている。なお、フランジ部４４Ｆ・４４Ｂ・４４Ｌ・４４Ｒは、下部室４８の上縁側で、四角環状に連続している。
【００５７】
各係止脚４５は、先端に、後述する蓋体側壁部５３の外側面における係止孔５３ａの下縁周縁５３ｂを係止可能な、下方へ屈曲する鉤部４５ａを、備えて構成されている。そして、車両の前後方向に配置される係止脚４５Ｆ・４５Ｂは、それぞれ、フランジ部４４Ｆ・４４Ｂに３個ずつ設けられている。車両の左右方向に配置される係止脚４５Ｌ・４５Ｒは、フランジ部４４Ｌ・４４Ｒに１個ずつ設けられて、係止脚４５Ｆ・４５Ｂより幅寸法を大きくしている。
【００５８】
ケース４１の下部室４８は、各フランジ部４４Ｆ・４４Ｂ・４４Ｌ・４４Ｒの内周縁から下方へ略四角筒形状に延びる周壁４９と、周壁４９の下端を塞ぐように配置される底壁５０と、から構成されている。周壁４９の車両の左右方向の部位には、左右方向に貫通する大小の挿通孔４９ａ・４９ｂがそれぞれ形成されている。挿通孔４９ａは、インフレーター３８の本体３８ａを挿通可能としてフランジ部３８ｃを挿通不能とする内径寸法とし、挿通孔４９ｂは、インフレーター３８のボルト部３８ｄを挿通可能な内径寸法としている。そして、インフレーター３８は、ボルト部３８ｄを、挿通孔４９ａを経て挿通孔４９ｂから突出させるとともに、フランジ部３８ｃを挿通孔４９ａの周縁に当接させ、ボルト部３８ｄにナット３９を螺合させることにより、下部室４８に収納保持されている。
【００５９】
なお、ケース４１には、車両に固定する際に使用する図示しない取付ブラケットが形成されている。
【００６０】
蓋体５２は、図６・７・１０に示すように、オレフィン系やスチレン系等の熱可塑性エラストマー等から形成され、折り畳まれたエアバッグ３１を収納したケース上部室４２の上方を覆うように配置されている。蓋体５２は、周囲に薄肉の破断予定部５２ｂを設けて、エアバッグ３１の膨張時に開く２つの扉部５２ａ・５２ａを備えて構成されている。破断予定部５２ｂは、第１実施形態と同様に、上方から見てＨ字形状に配置されており、「Ｈ」字の横棒部位の前後に配置された扉部５２ａ・５２ａが、エアバッグ３１の膨張時、破断予定部５２ｂを破断させて、それぞれ、図６の二点鎖線で示すように、前後方向に開くこととなる。
【００６１】
また、蓋体５２には、破断予定部５２ｂの周囲から四角筒形状に下方へ延びて、ケース上部室４２の縦壁部４６の外周面側に配置される側壁部５３が形成されている。
【００６２】
車両の前後方向の側壁部５３Ｆ・５３Ｂには、各係止脚４５Ｆ・４５Ｂを挿入させて、外側面側の下縁周縁５３ｂを係止脚４５Ｆ・４５Ｂの鉤部４５ａに係止させる３個ずつの係止孔５３ａが、形成されている。側壁部５３Ｆ・５３Ｂの各係止孔５３ａの下方には、係止孔５３ａの下方の縁側全体の部位５３ｃを内側に曲げ可能に、薄肉のヒンジ部５３ｄが形成されている。下方部位５３ｃにおける係止孔５３ａの直下の位置には、折り曲げた際の下面側となる位置に、それぞれ、係止凹部５３ｅが形成されている。各係止凹部５３ｅには、押え部材５４の後述する係止爪５６ａが係止されることとなる。
【００６３】
また、車両の左右方向の側壁部５３Ｌ・５３Ｒにも、係止脚４５Ｌ・４５Ｒを挿入させて、外側面側の下縁周縁５３ｂを係止脚４５Ｌ・４５Ｒに係止させる１個ずつの係止孔５３ａが形成され、さらに、係止孔５３ａの下方に、薄肉のヒンジ部５３ｄが形成されて、係止孔５３ａの下方の下方部位５３ｃを内側に折り曲げ可能としている。さらにまた、側壁部５３Ｌ・５３Ｒの下方部位５３ｃにも、押え部材５４の係止爪５６ａを係止させる係止凹部５３ｅが形成されている。
【００６４】
なお、第２実施形態の蓋体５２は、インパネと別体とされて、インパネに設けられた開口部に配置されるように構成されている。
【００６５】
押え部材５４は、図６・７・１１・１２に示すように、車両の前後方向の位置に配置される長い押え部材５４Ｎと、車両の左右方向の位置に配置される短い押え部５４Ｓと、の２種類から構成されている。そして、各押え部材５４Ｎ・５４Ｓは、それぞれ、長短のリテーナ３４Ｎ・３４Ｓと略等しい長さとして、上下で対向する上・下板部５５・５６と、上・下板部５５・５６を連結する底板部５７と、を備えた断面略Ｕ字形の棒状体として構成されている。各下板部５６には、周囲を切り欠いて、先端を底板部５７側の上板部５５側へ向かうように、周囲を切り欠いて、係止爪５６ａが形成されている。長い押え部材５４Ｎには、側壁部５３Ｆ・５３Ｂの３個ずつの係止凹部５３ｅに対応して、係止爪５６ａが３個形成され、短い押え部材５４Ｓには、側壁部５３Ｌ・５３Ｒの係止凹部５３ｅに対応して、係止爪５６ａが１個形成されている。また、各押え部材５４Ｎ・５４Ｓの上板部５５は、蓋体側壁部５３の係止孔５３ａに挿入されて、ケースフランジ部４４の上面に当接する部位となる。そのため、押え部材５４Ｎの上板部５５は、離れた３個の係止孔５３ａに挿入されることから、先端面に、側壁部５３（５３Ｆ・５３Ｂ）と干渉しないように、凹部５５ａが形成されている。そして、押え部材５４Ｎ・５４Ｓの上・下板部５５・５６間の開口寸法Ｈ（ＨＮ・ＨＳ）は、係止脚４５、連結片部３１ｃ・３１ｄを巻取ったリテーナ３４Ｎ・３４Ｓ、及び、側壁部５３の下方部位５３ｃ、から構成される嵌合部５９（５９Ｎ・５９Ｓ）（図１３参照）に、外嵌できるように、嵌合部５９Ｎ・５９Ｓの厚さ寸法と略等しい寸法に設定されている。
【００６６】
第２実施形態のエアバッグ装置Ｍ２の組付けを説明すると、まず、エアバッグ３１を折り畳む。
【００６７】
また、ケース下部室４８の挿通孔４９ａ側からボルト部３８ｄを挿入させ、ボルト部３８ｄを挿通孔４９ｂから突出させるとともに、フランジ部３８ｃを挿通孔４９ａ周縁に当接させ、ボルト部３８ｄにナット３９を螺合させて、ケース４１にインフレーター３８を収納保持させる。なお、インフレーター３８のケース４１への組付けは、ケース４１にエアバッグ３１や蓋体側壁部５３を連結させた後に、行なっても良い。
【００６８】
そして、エアバッグ３１の各連結片部３１ｃ・３１ｄを、対応する貫通孔４４ａ・４４ｂに挿通させて、各フランジ部４４の下面側から出しつつ、折り畳んだエアバッグ３１をケース４１の上部室４２内に配置させ、その状態で、折り畳んだエアバッグ３１を蓋体５２の側壁部５３の内側に挿入する。
【００６９】
そして、図１３のＡに示すように、ケースフランジ部４４の各係止脚４５Ｆ・４５Ｂ・４５Ｌ・４５Ｓを、蓋体側壁部５３の対応する係止孔５３ａに挿入させ、鉤部４５ａを外側面側の下縁周縁５３ｂに係止させるとともに、連結片部３１ｃ・３１ｄを対応する各リテーナ３４Ｎ・３４Ｓに数回巻きつける。
【００７０】
ついで、図１３のＢに示すように、連結片部３１ｃ・３１ｄを巻き取ったリテーナ３４を、フランジ部４４Ｆ・４４Ｂ・４４Ｌ・４４Ｒの下面側に配置させて、蓋体側壁部５３における係止孔５３ａの下方部位５３ｃを、折り曲げて、連結片部３１ｃ・３１ｄを巻取ったリテーナ３４に当てる。
【００７１】
そして、上板部５５を、係止孔５３ａに挿入させて係止脚４５の上面側に当て、かつ、各押え部材５４の下板部５６を、折り曲げた下方部位５３ｃに当接させるように、各押え部材５４を、係止脚４５、連結片部３１ｃ・３１ｄを巻取ったリテーナ３４、及び、側壁部５３の下方部位５３ｃ、から構成される嵌合部５９に対して、各底板部５７を鉤部４５ａを当接させるように、外嵌させるとともに、下方部位５３の係止凹部５３ｄに、係止爪５６ａを係止させれば、エアバッグ装置Ｍ２の組付けが完了する。
【００７２】
その後、インパネを車両に組み付けるとともに、エアバッグ装置Ｍ２を車両とインパネとに組み付ければ、エアバッグ装置Ｍ２を車両に搭載することができる。
【００７３】
なお、エアバッグ装置Ｍ２の組付時には、ケース４１の車両の前後左右のそれぞれの部位で、順次、リテーナ３４による連結片部３１ｃ若しくは連結片部３１ｄの巻取り工程、リテーナ３４の対応するフランジ部４４の下面側への配置工程、側壁部５３の下方部位５３ｃの折り曲げ工程、押え部材５４の嵌合部５９への嵌合工程、を行ない、その後、隣のフランジ部４４の部位、あるいは、反対側や残りのフランジ部４４の部位で、リテーナ３４への連結片部３１ｃ・３１ｄの巻取り工程、下方部位５３ｃの折り曲げ工程、押え部材５４の嵌合工程の上述の作業を繰り返して行なって、エアバッグ装置Ｍ２を組み付けても良い。あるいは、各フランジ部４４の部位で、同時に、リテーナ３４への連結片部３１ｃ・３１ｄの巻取り工程、下方部位５３ｃの折り曲げ工程、押え部材５４の嵌合工程の上述の作業を行なって、エアバッグ装置Ｍ２を組み付けても良い。
【００７４】
そして、エアバッグ装置Ｍ２の組付完了状態では、連結片部３１ｃ・３１ｄを巻取ったリテーナ３４が、フランジ部４４と側壁部５３の下方部位５３ｃとに挟まれ、さらに、フランジ部４４・連結片部３１ｃ・３１ｄを巻取ったリテーナ３４・下方部位５３ｃ（嵌合部５９）が、押え部材５４によって、挟持される態様となることから、リテーナ３４が回転を規制されて、巻取った連結片部３１ｃ・３１ｄを解くことが無く、かつ、連結片部３１ｃ・３１ｄを巻取ったリテーナ３４がフランジ部４４の貫通孔４４ａ・４４ｂから抜け不能に構成されているため、エアバッグ３１が、リテーナ３４を介して、ケース連結部４３のフランジ部４４に、強固に連結されることとなる。
【００７５】
また、各係止脚４５の先端の鉤部４５が、蓋体側壁部５３の外側面における係止孔５３ａの下縁周縁５３ｂを係止した状態で、蓋体側壁部５３の下方部位５３ｃが、フランジ部４４・連結片部３１ｃ・３１ｄを巻取ったリテーナ３４とともに、押え部材３４によって挟持されることから、各係止脚４５が、係止孔５３ａに対して上下方向に移動せず、各係止脚４５の係止解除が防止され、蓋体側壁部５３が、ケース連結部４３のフランジ部４４に強固に連結されることとなる。
【００７６】
エアバッグ装置Ｍ２の車両への搭載後に、インフレーター３８が作動されてガス吐出口３８ｂから膨張用ガスが吐出されれば、エアバッグ３１が、膨張し、扉部５２ａ・５２ａを開かせ、インパネＰから大きく突出することとなる。
【００７７】
そして、第２実施形態のエアバッグ装置Ｍ２では、各押え部材５４を、連結部４３に対する側壁部５３とリテーナ３４とを連結させる部位の嵌合部５９に嵌合させて、リテーナ３４を連結部４３のフランジ部４４に連結させるとともに、係止脚４５の係止解除を規制して、側壁部５３を連結部４３のフランジ部４４に連結させている。
【００７８】
すなわち、第２実施形態のエアバッグ装置Ｍ２でも、構成部品点数と組付工数とを増加させる複数のボルト・ナットを全く使用することなく、単に、所定の嵌合部５９に、押え部材５４を嵌合させるだけで、リテーナ３４をケース４１の連結部４３に連結させて、エアバッグ３１をケース連結部４３に連結させることができるとともに、蓋体５２の側壁部５３をケース連結部４３に連結させることができる。
【００７９】
したがって、第２実施形態のエアバッグ装置Ｍ２でも、構成部品点数と組付工数とを低減させて、エアバッグ３１と蓋体５２とをケース４１に連結することができる。
【００８０】
さらに、第２実施形態のエアバッグ装置Ｍ２では、係止脚４５、連結片部３１ｃ・３１ｄを巻取ったリテーナ３４、及び、側壁部５３の下方部位５３ｃ、から構成される嵌合部５９に対して、断面略Ｕ字状の押え部材５４を、外嵌させており、押え部材５４における上板部５５と下板部５６との底板部５７からの突出方向に沿って、押え部材５４を嵌合部５９側へ単に押圧すれば、押え部材５４の嵌合作業を完了させることができることから、嵌合作業を簡単に行なうことができる。
【００８１】
さらにまた、第２実施形態では、押え部材５４の嵌合部５９への嵌合時、押え部材５４の下板部５６に設けた係止爪５６ａを、側壁部５３の下方部位に設けた係止凹部５３ｅに係止させて、押え部材５４の嵌合部５９からの抜けが防止されており、蓋体側壁部５３やエアバッグ３１のケース連結部４３におけるフランジ部４４への連結を、一層、確実にすることができる。なお、嵌合部５９から押え部材５４の抜け防止を図る係止構造は、第２実施形態のように、下板部５６に係止爪５６ａ等の係止突起を設け、下方部位５３ｃに係止凹部５３ｅを設ける他、下方部位５３ｃ側に、係止突起を設け、下板部５６側に、その係止突起に係止される係止凹部を設けたり、あるいは、上板部５５とフランジ部４４とに、係止突起やその係止突起に係止される係止凹部を設けても良い。
【００８２】
なお、第２実施形態のエアバッグ装置Ｍ２では、ケース４１の車両の前後左右の部位に、エアバッグ３１の連結片部３１ｃ・３１ｄ・リテーナ３４・連結部４３・押え部材５４等を配置させた場合を示したが、扉部５２ａ・５２ａが開く際のヒンジ部５２ｃ（図６参照）側の車両の前後方向の部位だけに、エアバッグ３１の連結片部３１ｃ・リテーナ３４・連結部４３・押え部材５４等を配置させて、エアバッグ装置を構成しても良い。
【００８３】
また、第２実施形態では、ケース４１の車両の前後方向の部位の押え部材５４Ｎを、複数の係止孔５３ａに挿入可能に構成したが、凹部５５ａの部位で押え部材５４Ｎを分断して、各係止孔５３ａに挿入させるように、押え部材を構成しても良い。
【００８４】
さらに、第２実施形態では、押え部材５４の上板部５５を、ケース４１の係止脚４５を挿入させる係止孔５３ａに挿入させるように構成したが、上板部５５がケース連結部４３のフランジ部４４の上面に当接して、押え部材５４が、フランジ部４４・連結片部３１ｃ・３１ｄを巻取ったリテーナ３４・下方部位５３ｃからなる嵌合部５９を挟持するように嵌合できれば、上板部５５を係止孔５３ａに挿入させることなく、側壁部５３に、係止孔５３ａの近傍で横方向に貫通する挿通孔を設けて、その挿通孔に上板部５５を挿入させるように構成しても良い。但し、第２実施形態のように、押え部材５４の上板部５５を、挿通孔と兼用となって、係止脚４５を挿入させる係止孔５３ａに挿入させるように、構成すれば、側壁部５３に設ける孔の数を少なくできて、側壁部５３の引張強度の低下を招かず、かつ、穴明けの加工工数の増加を抑えることができる。
【００８５】
さらにまた、第２実施形態では、エアバッグ３１の連結片部３１ｃ・３１ｄを巻取ったリテーナ３４を、押え部材５４によって、フランジ部４４の下面側に押えて、貫通孔４４ａ・４４ｂに対してリテーナ３４を挿通不能とするとともに、連結片部３１ｃ・３１ｄのリテーナ３４からの外れを防止した構造を示した。しかし、図１４・１５に示すエアバッグ装置Ｍ３のように構成しても良い。
【００８６】
このエアバッグ装置Ｍ３では、エアバッグ３１の連結片部３１ｃ・３１ｄを巻取ったリテーナ３４を、ケース連結部４３のフランジ部４４に形成した係止脚６５を利用して、フランジ部４４の下面側に押えている。この係止脚６５は、第２実施形態の係止脚４５が、鉤部４５ａ・折曲部４５ｂ・先端部４５ｃと、を備えて、第２実施形態の係止脚４５より長くなるような形状に形成され、さらに、エアバッグ装置Ｍ３の組付前の状態では、図１６に示すように、鉤部４５ａ・折曲部４５ｂ・先端部４５ｃが、全長にわたって真直ぐに延びるように、形成されている。
【００８７】
そして、このエアバッグ装置Ｍ３の組付けは、まず、エアバッグ３１を折り畳むとともに、ケース下部室４８にインフレーター３９を収納保持させる。
【００８８】
その後、エアバッグ３１の各連結片部３１ｃ・３１ｄを、対応する貫通孔４４ａ・４４ｂに挿通させて、各フランジ部４４の下面側から出しつつ、折り畳んだエアバッグ３１をケース４１の上部室４２内に配置させ、その状態で、折り畳んだエアバッグ３１を蓋体５２の側壁部５３の内側に挿入する。
【００８９】
そして、ケースフランジ部４４の各係止脚６５を、蓋体側壁部５３の対応する係止孔５３ａに挿入させるとともに、連結片部３１ｃ・３１ｄを対応する各リテーナ３４に数回巻きつける。
【００９０】
ついで、連結片部３１ｃ・３１ｄを巻き取ったリテーナ３４を、フランジ部４４の下面側に配置させて、蓋体側壁部５３における係止孔５３ａの下方部位５３ｃを折り曲げるとともに、鉤部４５ａを形成するように係止脚６５を塑性変形させて折り曲げ、さらに、先端部４５ｃが下方部位５３ｃに当接して、リテーナ３４をフランジ部４４の下面に圧接させるように、折曲部４５ｂを塑性変形させて折り曲げれば、エアバッグ装置Ｍ３の組付けを完了させることができる。
【００９１】
このようなエアバッグ装置Ｍ３でも、組付け完了状態では、連結片部３１ｃ・３１ｄを巻取ったリテーナ３４が、側壁部５３の下方部位５３ｃとともに、フランジ部４４と係止脚６５の先端部４５ｃとに挟まれることとなることから、リテーナ３４が回転を規制されて、巻取った連結片部３１ｃ・３１ｄを解くことが無く、かつ、連結片部３１ｃ・３１ｄを巻取ったリテーナ３４がフランジ部４４の貫通孔４４ａ・４４ｂから抜け不能に構成されているため、エアバッグ３１が、リテーナ３４を介して、ケース連結部４３のフランジ部４４に、強固に連結されることとなる。
【００９２】
また、各係止脚６５の鉤部４５ａが、蓋体側壁部５３の外側面における係止孔５３ａの下縁周縁５３ｂを係止した状態で、各係止脚６５が、折り曲げた下方部位５３ｃを包む構造となるため、係止孔５３ａに対して上下方向に移動せず、各係止脚６５の係止解除が防止され、蓋体側壁部５３が、ケース連結部４３のフランジ部４４に強固に連結されることとなる。
【００９３】
そして、このエアバッグ装置Ｍ３でも、構成部品点数を増加させる複数のボルト・ナットを全く使用することなく、単に、ケース連結部４３の係止脚６５を長くして、曲げ加工するだけで、エアバッグ３１と蓋体側壁部５３とをケース連結部４３に連結することができることから、エアバッグ装置Ｍ３の構成部品点数を低減することができる。
【００９４】
なお、第１・２実施形態では、助手席用のエアバッグ装置について例示したが、エアバッグや蓋体の側壁部をケースに取り付けるエアバッグ装置であれば、本発明を実施することができることから、ステアリングホイールのエアバッグ装置、車両のシートに設けるエアバッグ装置、車両の車内側の内壁部位に設けるエアバッグ装置等に、本発明を応用することができる。
【図面の簡単な説明】
【図１】本発明の第１実施形態を示すエアバッグ装置の縦断面図である。
【図２】同実施形態の縦断面図であり、図１のII−II部位に対応する。
【図３】同実施形態のリテーナ・ケース・押え部材を示す分解斜視図である。
【図４】同実施形態のリテーナの部分縦断面図である。
【図５】同実施形態の押え部材の嵌合時を示す部分断面図である。
【図６】第２実施形態を示すエアバッグ装置の縦断面図である。
【図７】同実施形態の縦断面図であり、図６の VII− VII部位に対応する。
【図８】同実施形態のエアバッグの連結片部とリテーナとを示す斜視図である。
【図９】同実施形態のケースの平面図である。
【図１０】同実施形態の蓋体側壁部を示す斜視図である。
【図１１】同実施形態の押え部材の一つを示す斜視図である。
【図１２】同実施形態の押え部材の他の一つを示す斜視図である。
【図１３】同実施形態の組付け状態を説明する部分断面図である。
【図１４】変形例のエアバッグ装置を示す縦断面図である。
【図１５】同変形例の縦断面図であり、図１４のXV−XV部位に対応する。
【図１６】同変形例のケースの平面図である。
【符号の説明】
１・３１…エアバッグ、
１ｂ・３１ｂ…開口周縁、
４・３４…リテーナ、
４ａ…底部、
５…突出部、
６…（嵌合部）下側嵌合孔、
８・３８…インフレーター、
１１・４１…ケース、
１３・４３…連結部、
１４…横壁部、
１４ａ・４４ａ・４４ｂ…貫通孔、
１５…縦壁部、
１５ａ・４５…係止脚、
１６…（嵌合部）上側嵌合孔、
２２・５２…蓋体、
２２ａ・５２ａ…扉部、
２２ｃ・５３…側壁部、
２２ｄ・５３ａ…係止孔、
２４・５４…押え部材、
２５…横板部、
２６…下側嵌合片、
２７…縦板部、
２８…上側嵌合片、
３１ｃ・３１ｄ…連結片部、
４４…フランジ部、
４５ａ…鉤部、
５３ｂ…下縁周縁、
５３ｃ…下方部位、
５５…上板部、
５６…下板部、
５７…底板部、
５９…嵌合部、
Ｍ１・Ｍ２…エアバッグ装置。
【図１】
0004122653.tif 000002
【図２】
0004122653.tif 000003
【図３】
0004122653.tif 000004
【図４】
0004122653.tif 000005
【図５】
0004122653.tif 000006
【図６】
0004122653.tif 000007
【図７】
0004122653.tif 000008
【図８】
0004122653.tif 000009
【図９】
0004122653.tif 000010
【図１０】
0004122653.tif 000011
【図１１】
0004122653.tif 000012
【図１２】
0004122653.tif 000013
【図１３】
0004122653.tif 000014
【図１４】
0004122653.tif 000015
【図１５】
0004122653.tif 000016
【図１６】
0004122653.tif 000017